(57)【要約】【課題】圧電素子の第１電極端子とフレキシブル基板の第２電極端子との電気的な接続信頼性を向上することができる圧電装置、入力装置、表示装置、および電子機器を提供する。【解決手段】圧電装置は、基体２と、表面７ａが基体２に接続され、裏面７ｂに第１電極端子７１を有し、かつ平面視して略長方形状の圧電素子７と、第１電極端子７１に電気的に接続された第２電極端子８１を有したフレキシブル基板８と、を備え、フレキシブル基板８は、圧電素子７の長手方向に延在する延在部８ｂ，８ｃを有しており、延在部８ｂ，８ｃは、圧電素子７の裏面７ｂと接着されている。【選択図】図４
2013238941.tif 000002
【特許請求の範囲】
【請求項１】
基体と、
表面が前記基体に接続され、裏面に第１電極端子を有し、かつ平面視して略長方形状の圧電素子と、
前記第１電極端子に電気的に接続された第２電極端子を有したフレキシブル基板と、を備え、
前記フレキシブル基板は、前記圧電素子の長手方向に延在する延在部を有しており、
前記延在部は、前記圧電素子の前記裏面と接着されている、圧電装置。
【請求項２】
前記フレキシブル基板は、前記延在部に隣接するコーナー部をさらに有しており、
平面視して、前記コーナー部の外形状は、曲線である、請求項１に記載の圧電装置。
【請求項３】
平面視して、前記コーナー部の少なくとも一部は、前記圧電素子の前記裏面と重なっている、請求項２に記載の圧電装置。
【請求項４】
前記延在部に切欠部が設けられており、
前記切欠部に補強部材が設けられている、請求項１〜３のいずれか一項に記載の圧電装置。
【請求項５】
前記第１電極端子と前記第２電極端子とは、異方導電性接着剤により電気的に接続されており、
前記異方導電性接着剤は、前記延在部と前記圧電素子の前記裏面との間に延在して前記延在部と前記圧電素子の前記裏面とを接着させる、請求項１〜４のいずれか一項に記載の圧電装置。
【請求項６】
請求項１〜５のいずれか一項に記載の圧電装置と、
前記基体上に設けられた検出電極と、を備えた入力装置。
【請求項７】
請求項６に記載の入力装置と、
前記入力装置に対向して配置された表示パネルと、
前記表示パネルが収容された筐体と、を備えた表示装置。
【請求項８】
請求項７に記載の表示装置を備えた電子機器。
【発明の詳細な説明】
【技術分野】
【０００１】
本発明は、圧電装置、入力装置、表示装置、および電子機器に関する。
【背景技術】
【０００２】
近年、タッチパネル等の入力装置において、使用者がこのタッチパネルを操作した場合に、使用者に対して、押圧感、なぞり感、肌触り感等の様々な触感を呈示する触覚伝達技術が知られている（例えば、特許文献１参照）。このような入力装置には、圧電装置が備えられている。圧電装置は、基体と、表面が基体に接続され、裏面に第１電極端子を有した圧電素子と、第１電極端子に電気的に接続された第２電極端子を有したフレキシブル基板と、を備えている。フレキシブル基板を介して圧電素子へ電圧を印加することにより、圧電素子が伸縮運動し、基体を振動させることができる。これにより、使用者に対して触感を呈示することができる。
【先行技術文献】
【特許文献】
【０００３】
【特許文献１】特開２００３−１２２５０７号公報
【発明の概要】
【発明が解決しようとする課題】
【０００４】
しかしながら、上記従来の圧電装置では、フレキシブル基板に対して引張応力が加わった場合に、フレキシブル基板の第２電極端子が、圧電素子の第１電極端子から剥がれてしまう可能性があった。
【０００５】
なお、上記の課題は、触覚伝達技術以外の、例えば、基体を振動させて音を出力するスピーカ技術、あるいは、基体を振動させて骨伝導（軟骨伝導も含む）により音を聴くことができる骨伝導技術であっても、同様である。
【０００６】
本発明は、上記の問題点に鑑みてなされたものであり、その目的は、圧電素子の第１電極端子とフレキシブル基板の第２電極端子との電気的な接続信頼性を向上することができる圧電装置、入力装置、表示装置、および電子機器に関する。
【課題を解決するための手段】
【０００７】
本発明の圧電装置における一態様は、基体と、表面が前記基体に接続され、裏面に第１電極端子を有し、かつ平面視して略長方形状の圧電素子と、前記第１電極端子に電気的に接続された第２電極端子を有したフレキシブル基板と、を備え、前記フレキシブル基板は、前記圧電素子の長手方向に延在する延在部を有しており、前記延在部は、前記圧電素子の前記裏面と接着されている。
【０００８】
本発明の入力装置における一態様は、上記の圧電装置と、前記基体上に設けられた検出電極と、を備える。
【０００９】
本発明の表示装置における一態様は、上記の入力装置と、前記入力装置に対向して配置された表示パネルと、前記表示パネルが収容された筐体と、を備える。
【００１０】
本発明の電子機器における一態様は、上記の表示装置を備える。
【発明の効果】
【００１１】
本発明の圧電装置、入力装置、表示装置、および電子機器は、圧電素子の第１電極端子とフレキシブル基板の第２電極端子との電気的な接続信頼性を向上することができる、という効果を奏する。
【図面の簡単な説明】
【００１２】
【図１】本実施形態に係る入力装置の概略構成を示す平面図である。
【図２】図１中に示した切断線Ｉ−Ｉに沿って切断した断面図である。
【図３】図１中に示した切断線ＩＩ−ＩＩに沿って切断した断面図である。
【図４】圧電素子とフレキシブル基板との接続状態を示す斜視図である。
【図５】図４中に示した切断線ＩＩＩ−ＩＩＩに沿って切断した断面図である。
【図６】図４中に示した切断線ＩＶ−ＩＶに沿って切断した断面図である。
【図７】上記の入力装置の動作例を示すフローチャートである。
【図８】本実施形態に係る表示装置の概略構成を示す断面図である。
【図９】本実施形態に係る携帯端末の概略構成を示す斜視図である。
【図１０】変形例１に係る入力装置の概略構成を示す平面図である。
【図１１】圧電素子とフレキシブル基板との接続状態を示す斜視図である。
【図１２】圧電素子とフレキシブル基板との配置関係を示す平面図であって、圧電素子の裏面側から見た図である。
【図１３】変形例２に係る入力装置の概略構成を示す平面図である。
【図１４】圧電素子とフレキシブル基板との接続状態を示す斜視図である。
【図１５】図１４中に示した切断線Ｖ−Ｖに沿って切断した断面図である。
【発明を実施するための形態】
【００１３】
以下、本発明の実施形態について、図面を参照しながら説明する。
【００１４】
但し、以下で参照する各図は、説明の便宜上、本発明の一実施形態の構成部材のうち、本発明を説明するために必要な主要部材を簡略化して示したものである。したがって、本発明に係る圧電装置、入力装置、表示装置、および電子機器は、本明細書が参照する各図に示されていない任意の構成部材を備え得る。
【００１５】
図１に示すように、本実施形態に係る入力装置Ｘ１は、投影型の静電容量方式のタッチパネルである。入力装置Ｘ１は、入力領域Ｅ１および非入力領域Ｅ２を有している。入力領域Ｅ１は、使用者が入力操作をすることができる領域である。非入力領域Ｅ２は、使用者が入力操作をすることができない領域である。本実施形態に係る非入力領域Ｅ２は、入力領域Ｅ１を取り囲むように当該入力領域Ｅ１の外側に位置しているが、これに限らない。例えば、入力領域Ｅ１内に非入力領域Ｅ２が位置していてもよい。
【００１６】
なお、入力装置Ｘ１は、投影型の静電容量方式のタッチパネルに限らず、表面型の静電容量方式のタッチパネルであってもよい。また、入力装置Ｘ１として、例えば、抵抗膜方式のタッチパネル、表面弾性波方式のタッチパネル、赤外線方式のタッチパネル、あるいは電磁誘導方式のタッチパネルであってもよい。
【００１７】
図１〜図３に示すように、入力装置Ｘ１は、基体２、第１検出電極パターン３、第２検出電極パターン４、絶縁体５、遮光膜６、圧電素子７、およびフレキシブル基板８を備えている。ここで、基体２、圧電素子７、およびフレキシブル基板８が、本発明に係る圧電装置の一実施形態となる。
【００１８】
基体２は、第１検出電極パターン３、第２検出電極パターン４、絶縁体５、遮光膜６、および圧電素子７を支持する役割を有する。基体２は、第１主面２ａおよび第２主面２ｂを有している。第１主面２ａは、使用者によって直接操作される面である。第２主面２ｂ
は、第１主面２ａの反対側に位置する面である。基体２は、絶縁性および透光性を有する。基体２の構成材料としては、例えば、ガラスあるいはプラスチックが挙げられる。
【００１９】
第１検出電極パターン３は、入力領域Ｅ１に対応する基体２の第１主面２ａに接近した使用者の指Ｆ１との間において静電容量を発生し、Ｙ方向における入力位置を検出する役割を有する。第１検出電極パターン３は、入力領域Ｅ１に対応する基体２の第２主面２ｂ上に、Ｙ方向に並んで複数設けられている。また、第１検出電極パターン３は、第１検出電極３ａおよび第１電極間配線３ｂを有する。
【００２０】
第１検出電極３ａは、使用者の指Ｆ１との間において静電容量を発生する役割を有する。第１検出電極３ａは、Ｘ方向に並んで複数設けられている。第１電極間配線３ｂは、第１検出電極３ａ同士を電気的に接続する役割を有する。第１電極間配線３ｂは、隣り合う第１検出電極３ａの間に設けられている。
【００２１】
第２検出電極パターン４は、入力領域Ｅ１に対応する基体２の第１主面２ａに接近した使用者の指Ｆ１との間において静電容量を発生し、Ｘ方向における入力位置を検出する役割を有する。第２検出電極パターン４は、入力領域Ｅ１に対応する基体２の第２主面２ｂ上に、Ｘ方向に並んで複数設けられている。また、第２検出電極パターン４は、第２検出電極４ａおよび第２電極間配線４ｂを有する。
【００２２】
第２検出電極４ａは、使用者の指Ｆ１との間において静電容量を発生する役割を有する。第２検出電極４ａは、Ｙ方向に並んで複数設けられている。第２電極間配線４ｂは、第２検出電極４ａ同士を電気的に接続する役割を有する。第２電極間配線４ｂは、隣り合う第２検出電極４ａの間において、第１電極間配線３ｂと電気的に絶縁するように、絶縁体５を跨ぐように絶縁体５上に設けられている。
【００２３】
絶縁体５は、第１電極間配線３ｂを覆うように基体２の第２主面２ｂ上に設けられている。絶縁体５の構成材料としては、例えば、アクリル樹脂、エポキシ樹脂、シリコーン樹脂、二酸化ケイ素、あるいは窒化珪素等の透明樹脂が挙げられる。
【００２４】
ここで、第１検出電極３ａおよび第２検出電極４ａの外形状は、平面視して、略ひし形状であるが、これに限らず、多角形状あるいは円形状であってもよい。
【００２５】
第１検出電極パターン３および第２検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子が挙げられる。また、第１検出電極パターン３および第２検出電極パターン４の形成方法としては、例えば、上述の材料をスパッタリング法、蒸着法、あるいはＣＶＤ（Chemical Vapor Deposition）法によって基体２の第２
主面２ｂ上に成膜する。そして、この膜の表面に感光性樹脂を塗布し、露光、現像、エッチング工程を経て、膜をパターニングすることで、第１検出電極パターン３および第２検出電極パターン４が形成される。
【００２６】
なお、図示はしていないが、非入力領域Ｅ２に対応する基体２の第２主面２ｂ上には、検出用配線が設けられている。検出用配線は、第１検出電極パターン３および第２検出電極パターン４と電気的に接続される。これにより、第１検出電極パターン３および第２検出電極パターン４と指Ｆ１との間において発生した静電容量の変化を、検出用配線を介して検出することができる。
【００２７】
また、第１検出電極パターン３、第２検出電極パターン４、および検出用配線上には、
保護層が設けられていてもよい。
【００２８】
遮光膜６は、基体２の第１主面２ａおよび第２主面２ｂと交差する方向に入射する光を遮光する役割を有する。遮光膜６は、非入力領域Ｅ２に対応する基体２の第１主面２ａまたは第２主面２ｂ上に、枠状に設けられている。遮光膜６が枠状に設けられているので、非入力領域Ｅ２を加飾することができる。遮光膜６の構成材料としては、樹脂材料に着色材料を含んだものが挙げられる。樹脂材料としては、例えば、アクリル系樹脂、エポキシ系樹脂、あるいは二酸化ケイ素が挙げられる。着色材料としては、例えば、カーボン、チタン、あるいはクロムが挙げられる。遮光膜６を形成する方法としては、例えば、スクリーン印刷法、スパッタリング法、ＣＶＤ法、あるいは蒸着法が挙げられる。
【００２９】
圧電素子７は、使用者による所定の入力操作を検知した場合に、基体２を湾曲振動させる役割を有する。具体的には、圧電素子７は、Ｘ方向に伸縮運動を繰り返すことにより、基体２の厚み方向（以下、当該方向を「上下方向」と称する）に、基体２を湾曲振動させる。なお、後述するように、圧電素子７は、基体２への押圧荷重を検出する役割も有する。ここで、圧電素子７の外形状は、平面視して、略長方形状である。なお、ここで言う「略長方形状」とは、平面視における圧電素子７の角部が丸みを帯びているものも含む概念である。また、圧電素子７は、モノモルフ、ユニモルフ、バイモルフ等のいずれであってもよい。
【００３０】
圧電素子７は、非入力領域Ｅ２に対応する基体２の第２主面２ｂ上に設けられている。本実施形態では、圧電素子７は、基体２の両方の短辺の近傍に、それぞれの短辺に沿って２つ設けられている。なお、圧電素子７の配置位置、個数等については、特に限定されない。例えば、圧電素子７は、基体２の両方の長辺の近傍に、それぞれの長辺に沿って２つ設けられていてもよい。また、圧電素子７は、基体２の両方の長辺および短辺の近傍に、それぞれの長辺および短辺に沿って４つ設けられていてもよい。
【００３１】
フレキシブル基板８は、柔軟性を有しており、変形させることが可能なプリント基板である。フレキシブル基板８は、一端部が圧電素子７と電気的に接続され、他端部が後述する回路基板１０３（図８参照）に電気的に接続される。本実施形態では、圧電素子７は２つ設けられているので、フレキシブル基板８も、圧電素子７に対応して２つ設けられている。
【００３２】
次に、圧電素子７とフレキシブル基板８との接続状態、およびフレキシブル基板８の具体的な構成について、図４〜図６を参照しながら説明する。ここで、図４は、圧電素子７とフレキシブル基板８との接続状態を示す斜視図である。図５は、図４中に示した切断線ＩＩＩ−ＩＩＩに沿って切断した断面図である。図６は、図４中に示した切断線ＩＶ−ＩＶに沿って切断した断面図である。
【００３３】
図４〜図６に示すように、圧電素子７は、表面７ａおよび裏面７ｂを有している。圧電素子７の表面７ａは、基体２に接続される。具体的には、圧電素子７の表面７ａは、基体２の第２主面２ｂ上に、図示しない接着部材を介して接続される。圧電素子７の裏面７ｂは、第１電極端子７１を有している。本実施形態では、第１電極端子７１は、２つ有している。一方の第１電極端子７１は、正の電圧が印加される電極端子である。他方の第１電極端子７１は、負の電圧が印加される電極端子である。
【００３４】
図４に示すように、フレキシブル基板８は、基部８ａ、第１延在部８ｂ、および第２延在部８ｃを有している。基部８ａは、圧電素子７の短手方向に配置されており、第２電極端子８１を有している。本実施形態では、第２電極端子８１は、２つ有している。一方の第２電極端子８１は、正の電圧が印加される電極端子であって、一方の第１電極端子７１
と電気的に接続される。他方の第２電極端子８１は、負の電圧が印加される電極端子であって、他方の第１電極端子７１と電気的に接続される。第１延在部８ｂは、圧電素子７の長手方向に、基部８ａから延在する部位である。第２延在部８ｃは、圧電素子７の長手方向であってかつ第１延在部８ｂとは反対側の方向に、基部８ａから延在する部位である。
【００３５】
また、図５および図６に示すように、フレキシブル基板８は、ベース部材８２、配線電極８３、第１被覆層８４、および第２被覆層８５を有している。
【００３６】
ベース部材８２は、絶縁性および可撓性を有している。ベース部材８２の構成材料としては、例えば、ポリイミド樹脂あるいはポリエステル樹脂が挙げられる。
【００３７】
配線電極８３は、ベース部材８２上に設けられている。配線電極８３の構成材料としては、例えば、銅、アルミニウム、ニッケル、金、ステンレススチール等の金属材料が挙げられる。
【００３８】
第１被覆層８４は、ベース部材８２上に設けられている。第１被覆層８４は、配線電極８３の一部を露出し残部を被覆する。第１被覆層８４から露出した配線電極８３が、上記の第２電極端子８１として機能する。
【００３９】
第２被覆層８５は、ベース部材８２上に設けられている。具体的には、第２被覆層８５は、第１被覆層８４が設けられた部位とは反対側の部位に設けられている。
【００４０】
第１被覆層８４および第２被覆層８５の構成材料としては、例えば、ポリイミド樹脂あるいはポリエステル樹脂が挙げられる。
【００４１】
圧電素子７の第１電極端子７１とフレキシブル基板８の第２電極端子８１とは、異方導電性接着剤９により電気的に接続されている。異方導電性接着剤９は、絶縁性の高い接着剤中に導電粒子を均一に分散させた接着剤である。これにより、フレキシブル基板８の配線電極８３、第２電極端子８１、および圧電素子７の第１電極端子７１を介して、圧電素子７に電圧を印加することができる。なお、異方導電性接着剤９の代わりに、例えば、はんだ等の導電部材を用いてもよい。
【００４２】
本実施形態では、異方導電性接着剤９は、第１延在部８ｂと圧電素子７の裏面７ｂとの間に延在して第１延在部８ｂと圧電素子７の裏面７ｂとを接着させる。また、異方導電性接着剤９は、第２延在部８ｃと圧電素子７の裏面７ｂとの間に延在して第２延在部８ｃと圧電素子７の裏面７ｂとを接着させる。すなわち、異方導電性接着剤９は、圧電素子７の第１電極端子７１とフレキシブル基板８の第２電極端子８１とを電気的に接続させるだけでなく、フレキシブル基板８の基部８ａ、第１延在部８ｂ、および第２延在部８ｃと、圧電素子７の裏面７ｂとを接着させる。これにより、入力装置Ｘ１は、第１延在部８ｂおよび第２延在部８ｃが設けられていない場合と比べて、圧電素子７とフレキシブル基板８との接着強度を向上することができる。このため、フレキシブル基板８に対して、例えば、図４に示す矢印の方向（圧電素子７の短手方向）に引張応力が加わった場合であっても、フレキシブル基板８の第２電極端子８１が、圧電素子７の第１電極端子７１から剥がれてしまう可能性を低減することができる。
【００４３】
なお、上記では、異方導電性接着剤９は、延在部８ｂ，８ｃと圧電素子７の裏面７ｂとの間に延在して延在部８ｂ，８ｃと圧電素子７の裏面７ｂとを接着させる例について説明したが、これに限らない。異方導電性接着剤９は、延在部８ｂ，８ｃと圧電素子７の裏面７ｂとの間に延在しなくともよい。すなわち、延在部８ｂ，８ｃと圧電素子７の裏面７ｂとは、両面テープ等の接着部材を用いて接着させてもよい。なお、本実施形態のように、
異方導電性接着剤９を延在部８ｂ，８ｃと圧電素子７の裏面７ｂとの間に延在すると、延在部８ｂ，８ｃと圧電素子７の裏面７ｂとを接着させるために、両面テープ等の接着部材を別途設ける必要がないため、好ましい。
【００４４】
また、上記では、第１延在部８ｂおよび第２延在部８ｃの２つの延在部を設けた例について説明したが、これに限らない。延在部は、１つであってもよいし、３つ以上設けられていてもよい。なお、本実施形態のように、基部８ａを挟んで第１延在部８ｂおよび第２延在部８ｃが設けられていると、フレキシブル基板８に対して加わった引張応力を、第１延在部８ｂおよび第２延在部８ｃによって略均等に分散させることができる。このため、本実施形態では、フレキシブル基板８の第２電極端子８１が、圧電素子７の第１電極端子７１から剥がれてしまう可能性をより低減することができる。
【００４５】
次に、入力装置Ｘ１の動作例について、図７を参照しながら説明する。
【００４６】
なお、以下では、触覚伝達のうち使用者に対して押圧感を伝達する場合の入力装置Ｘ１の動作例について説明するが、入力装置Ｘ１は、押圧感以外の、例えば、なぞり感、肌触り感等の様々な触感を伝達する場合にも適用できることは勿論である。
【００４７】
図７に示すように、使用者が、基体２の第１主面２ａを押圧した場合に、圧電素子７は、基体２への押圧荷重を検出する（Ｏｐ１）。ここで、圧電素子７の荷重検出機能について説明する。すなわち、使用者が、基体２の第１主面２ａを押圧すると、基体２が下方向に湾曲する。基体２が下方向に湾曲すると、圧電素子７も下方向に湾曲する。つまり、基体２への押圧荷重に応じて、圧電素子７の湾曲量が変移する。この結果、圧電素子７により基体２への押圧荷重を検出することができる。
【００４８】
そして、図示しない触覚伝達ドライバは、使用者による入力操作が、表示画面に表示された入力オブジェクトに対する押圧操作である場合に、Ｏｐ１にて検出された押圧荷重が閾値以上であるか否かを判定する（Ｏｐ２）。
【００４９】
そして、触覚伝達ドライバは、Ｏｐ１にて検出された押圧荷重が閾値以上であると判定すれば（Ｏｐ２にてＹＥＳ）、圧電素子７をＸ方向に伸縮運動させる（Ｏｐ３）。そして、Ｏｐ３にて伸縮運動された圧電素子７により基体２が上下方向に湾曲振動する（Ｏｐ４）。これにより、基体２の第１主面２ａを押圧した使用者に対して押圧感が伝達される。一方、触覚伝達ドライバは、Ｏｐ１にて検出された押圧荷重が閾値未満であると判定すれば（Ｏｐ２にてＮＯ）、図７の処理を終了する。
【００５０】
以上のように、圧電装置は、圧電素子７の第１電極端子７１とフレキシブル基板８の第２電極端子８１との電気的な接続信頼性を向上することができる。また、入力装置Ｘ１は、圧電装置を備えているので、圧電素子７の第１電極端子７１とフレキシブル基板８の第２電極端子８１との電気的な接続信頼性を向上することができる。
【００５１】
次に、入力装置Ｘ１を備えた表示装置Ｙ１について、図８を参照しながら説明する。
【００５２】
図８に示すように、本実施形態に係る表示装置Ｙ１は、入力装置Ｘ１、液晶パネル１０１、バックライト１０２、回路基板１０３、および第１筐体１０４を備えている。
【００５３】
液晶パネル１０１は、表示のために液晶組成物を利用した表示パネルである。液晶パネル１０１は、空間Ｓ１を介して入力装置Ｘ１に対向して配置される。なお、液晶パネル１０１の代わりに、プラズマパネル、有機ＥＬパネル、電子ペーパ等の表示パネルを用いてもよい。ここで、有機ＥＬパネルは、電圧を印加すると発光する物質を利用した表示パネ
ルである。具体的には、有機ＥＬパネルは、ジアミン類等の有機物を用いた発光体を基板に蒸着し、５〜１０Ｖの直流電圧を印加することで表示が行われる。なお、液晶パネル１０１の代わりに有機ＥＬパネルを用いた場合には、バックライト１０２は不要となる。
【００５４】
バックライト１０２は、光源１０２ａおよび導光板１０２ｂを備えている。光源１０２ａは、導光板１０２ｂに向けて光を出射する役割を有する。光源１０２は、例えば、ＬＥＤ（Light Emitting Diode）から構成される。なお、ＬＥＤの代わりに、冷陰極蛍光ランプ、ハロゲンランプ、キセノンランプ、ＥＬ（Electro-Luminescence）であってもよい。導光板１０２ｂは、液晶パネル１０１の下面全体にわたって、光源１０２ａからの光を略均一に導くための役割を有する。
【００５５】
回路基板１０３は、ＩＣ（Integrated Circuit）、抵抗器、コンデンサ等の部品を表面に実装し、その部品間を配線で接続することで電子回路を構成する板状またはフィルム状の基板である。回路基板１０３は、バックライト１０２の背面側に配置されている。また、回路基板１０３にはコネクタが設けられている。このコネクタには、圧電素子７と電気的に接続されたフレキシブル基板８が挿入される。
【００５６】
第１筐体１０４は、液晶パネル１０１、バックライト１０２、および回路基板１０３を収容する役割を有する。第１筐体１０４の構成材料としては、例えば、ポリカーボネート等の樹脂、あるいは、ステンレス、アルミニウム等の金属が挙げられる。
【００５７】
また、第１筐体１０４は、支持部材１０４ａを含む。支持部材１０４ａは、入力装置Ｘ１を支持する役割を有する。具体的には、支持部材１０４ａは、入力領域Ｅ１を取り囲むように非入力領域Ｅ２を支持する。入力装置Ｘ１と支持部材１０４ａとは、両面テープ等の接着部材によって接着される。
【００５８】
表示装置Ｙ１は、入力装置Ｘ１を備えているので、圧電素子７の第１電極端子７１とフレキシブル基板８の第２電極端子８１との電気的な接続信頼性を向上することができる。
【００５９】
次に、上記の表示装置Ｙ１を備えた携帯端末Ｐ１について、図９を参照しながら説明する。
【００６０】
図９は、本実施形態に係る携帯端末Ｐ１の概略構成を示す斜視図である。図９に示すように、携帯端末Ｐ１は、例えば、携帯電話、スマートフォン、ＰＤＡ（Personal Digital
Assistant）等の電子機器であって、上記の表示装置Ｙ１と、音声入力部２０１と、音声出力部２０２と、キー入力部２０３と、第２筐体２０４とを備えている。
【００６１】
音声入力部２０１は、例えば、マイク等により構成されており、使用者の音声等が入力される。音声出力部２０２は、スピーカ等により構成されており、相手方からの音声等が出力される。キー入力部２０３は、例えば、機械的なキーにより構成される。なお、キー入力部２０３は、表示画面に表示された操作キーであってもよい。第２筐体２０４は、表示装置Ｙ１、音声入力部２０１、音声出力部２０２、およびキー入力部２０３を収容する役割を有する。
【００６２】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００６３】
携帯端末Ｐ１は、表示装置Ｙ１を備えているので、圧電素子７の第１電極端子７１とフレキシブル基板８の第２電極端子８１との電気的な接続信頼性を向上することができる。
【００６４】
なお、上記では、携帯端末Ｐ１に音声入力部２０１を備えている例について説明したが、これに限らない。すなわち、携帯端末Ｐ１には音声入力部２０１は備えられていなくともよい。
【００６５】
また、上記では、携帯端末Ｐ１は、表示装置Ｙ１を収容する第２筐体２０４を備えている例について説明したが、これに限らない。第２筐体２０４を別個独立に設けることなく、表示装置Ｙ１における第１筐体１０４が携帯端末Ｐ１の筐体となる構成であってもよい。
【００６６】
また、表示装置Ｙ１は、上記の携帯端末Ｐ１の代わりに、産業用途で使用される表示器、車載用途で使用される表示器、電子手帳、パーソナルコンピュータ、複写機、ゲーム用の端末装置、テレビ、デジタルカメラ等の様々な電子機器に備えられていてもよい。
【００６７】
なお、上述した実施形態は、本発明の実施形態の一具体例を示すものであり、種々の変形が可能である。以下、いくつかの主な変形例を示す。
【００６８】
[変形例１]
図１０は、変形例１に係る入力装置Ｘ２の概略構成を示す平面図である。図１１は、圧電素子７とフレキシブル基板８との接続状態を示す斜視図である。図１２は、圧電素子７とフレキシブル基板８との配置関係を示す平面図であって、圧電素子７の裏面７ｂ側から見た図である。なお、図１２では、説明の便宜上、圧電素子７を点線で表している。また、図１０および図１１において、図１および図４と同様の機能を有する構成については、同じ参照符号を付記し、その詳細な説明を省略する。
【００６９】
図１１および図１２に示すように、入力装置Ｘ２では、フレキシブル基板８は、第１延在部８ｂに隣接する第１コーナー部８ｄを有している。すなわち、第１コーナー部８ｄは、基部８ａと第１延在部８ｂとの間に位置している。また、フレキシブル基板８は、第２延在部８ｃに隣接する第２コーナー部８ｅを有している。すなわち、第２コーナー部８ｅは、基部８ａと第２延在部８ｃとの間に位置している。
【００７０】
平面視して、第１コーナー部８ｄの外形状は、曲線である。また、平面視して、第２コーナー部８ｅの外形状は、曲線である。第１コーナー部８ｄおよび第２コーナー部８ｅの外形状が平面視して曲線であるため、フレキシブル基板８に対して、例えば、図１１および図１２に示す矢印の方向に引張応力が加わった場合であっても、当該引張応力を、第１コーナー部８ｄおよび第２コーナー部８ｅによって緩和することができる。
【００７１】
また、図１２に示すように、平面視して、第１コーナー部８ｄの少なくとも一部は、圧電素子７の裏面７ｂと重なっていることが好ましい。また、平面視して、第２コーナー部８ｅの少なくとも一部は、圧電素子７の裏面７ｂと重なっていることが好ましい。第１コーナー部８ｄおよび第２コーナー部８ｅの少なくとも一部が平面視して圧電素子７の裏面７ｂと重なっていると、第１延在部８ｂおよび第２延在部８ｃに加わる引張応力を低減することができる。
【００７２】
以上のように、入力装置Ｘ２では、入力装置Ｘ１と比べて、フレキシブル基板８の第２電極端子８１が、圧電素子７の第１電極端子７１から剥がれてしまう可能性をより低減することができる。
【００７３】
[変形例２]
図１３は、変形例２に係る入力装置Ｘ３の概略構成を示す平面図である。図１４は、圧
電素子７とフレキシブル基板８との接続状態を示す斜視図である。図１５は、図１４中に示した切断線Ｖ−Ｖに沿って切断した断面図である。なお、図１３〜図１５において、図１、図４、および図５と同様の機能を有する構成については、同じ参照符号を付記し、その詳細な説明を省略する。
【００７４】
図１４および図１５に示すように、入力装置Ｘ３では、第１延在部８ｂに第１切欠部８ｆが設けられている。第１切欠部８ｆは、ベース部材８２、第１被覆層８４、および第２被覆層８５を切り欠くことによって構成される。変形例２に係る第１切欠部８ｆは、フレキシブル基板８を貫通する貫通孔である。また、第２延在部８ｃに第２切欠部８ｇが設けられている。第２切欠部８ｇも、ベース部材８２、第１被覆層８４、および第２被覆層８５を切り欠くことによって構成される。変形例２に係る第２切欠部８ｇも、フレキシブル基板８を貫通する貫通孔である。
【００７５】
第１切欠部８ｆには補強部材１０が設けられている。また、第２切欠部８ｇにも補強部材１０が設けられている。補強部材１０の構成材料としては、例えば、アクリル樹脂、エポキシ樹脂、あるいはシリコーン樹脂等の樹脂材料が挙げられる。第１切欠部８ｆに補強部材１０が設けられているので、第１延在部８ｂと圧電素子７の裏面７ｂとの接着強度を向上させることができる。また、第２切欠部８ｇに補強部材１０が設けられているので、第２延在部８ｃと圧電素子７の裏面７ｂとの接着強度を向上させることができる。
【００７６】
以上のように、入力装置Ｘ３では、入力装置Ｘ１と比べて、フレキシブル基板８の第２電極端子８１が、圧電素子７の第１電極端子７１から剥がれてしまう可能性をより低減することができる。
【００７７】
なお、上記では、第１延在部８ｂに第１切欠部８ｆを１つ、第２延在部８ｃに第２切欠部８ｇを１つ設けた例について説明したが、これに限らない。第１延在部８ｂに第１切欠部８ｆを２つ以上設けてもよいし、第２延在部８ｃに第２切欠部８ｇを２つ以上設けてもよい。
【００７８】
また、上記では、第１切欠部８ｆおよび第２切欠部８ｇが貫通孔である例について説明したが、これに限らない。第１延在部８ｂの外周を例えば波型に切り欠くことにより、第１切欠部８ｆを形成してもよい。これと同様に、第２延在部８ｃの外周を例えば波型に切り欠くことにより、第２切欠部８ｇを形成してもよい。また、第１延在部８ｂの外周を例えばＵ字型に切り欠くことにより、第１切欠部８ｆを形成してもよい。これと同様に、第２延在部８ｃの外周を例えばＵ字型に切り欠くことにより、第２切欠部８ｇを形成してもよい。
【００７９】
[変形例３]
上記では、入力装置Ｘ１を備えた表示装置Ｙ１の例について説明したが、入力装置Ｘ１に代えて、入力装置Ｘ２または入力装置Ｘ３を採用してもよい。また、入力装置Ｘ２または入力装置Ｘ３を採用した表示装置を備えた携帯端末を採用してもよい。さらに、上述した実施形態および上述した変形例は適宜に組み合わせてもよい。
【００８０】
[変形例４]
上記では、入力装置Ｘ１〜Ｘ３を触覚伝達技術に適用した例について説明したが、これに限らない。本発明は、触覚伝達技術以外に、例えば、基体を振動させて音を出力するスピーカ技術、あるいは、基体を振動させて音を聴くことができる骨伝導技術にも適用することが可能である。骨伝導技術のうち、軟骨伝導技術にも適用することができることは勿論である。ここで、軟骨伝導とは、音声信号を振動に変えて、外耳の軟骨に伝え、その奥の骨を経由して内耳を刺激し、聴神経に伝達させることをいう。
【符号の説明】
【００８１】
Ｘ１〜Ｘ３  入力装置
Ｙ１  表示装置
Ｐ１  携帯端末（電子機器）
２  基体
３ａ  第１検出電極（検出電極）
４ａ  第２検出電極（検出電極）
７  圧電素子
７１  第１電極端子
８  フレキシブル基板
８１  第２電極端子
８ｂ  第１延在部（延在部）
８ｃ  第２延在部（延在部）
８ｄ  第１コーナー部（コーナー部）
８ｅ  第２コーナー部（コーナー部）
８ｆ  第１切欠部（切欠部）
８ｇ  第２切欠部（切欠部）
９  異方導電性接着剤
１０  補強部材
１０１  液晶パネル（表示パネル）
１０４  第１筐体（筐体）
【図２】
2013238941.tif 000003
【図３】
2013238941.tif 000004
【図４】
2013238941.tif 000005
【図５】
2013238941.tif 000006
【図６】
2013238941.tif 000007
【図７】
2013238941.tif 000008
【図８】
2013238941.tif 000009
【図１１】
2013238941.tif 000010
【図１２】
2013238941.tif 000011
【図１４】
2013238941.tif 000012
【図１５】
2013238941.tif 000013
【図１】
2013238941.tif 000014
【図９】
2013238941.tif 000015
【図１０】
2013238941.tif 000016
【図１３】
2013238941.tif 000017